【手続補正書】
【提出日】平成22年2月24日(2010.2.24)
【手続補正１】
【補正対象書類名】特許請求の範囲
【補正対象項目名】全文
【補正方法】変更
【補正の内容】
【特許請求の範囲】
【請求項１】
第１サイズのシートが積載された第１の積載部及び前記第１サイズのシートよりサイズの小さい第２サイズのシートが積載された第２の積載部を含む複数の積載部を有するシート積載手段と、
印刷ジョブに基づいて印刷処理を実行する印刷手段と、
前記印刷手段により印刷処理されたシートに対して折り処理を実行可能な折り処理手段と、
前記複数の積載部のうち前記印刷ジョブに対応するシートが積載された積載部からシートを給紙して、前記印刷ジョブに基づいた前記印刷処理を実行するよう前記印刷手段を制御する第１制御手段と、
前記印刷ジョブが前記第１サイズのシート及び前記第２サイズのシートの双方に対応する場合に、前記印刷処理が実行された前記第１サイズのシートに対して前記折り処理を実行する一方で前記印刷処理が実行された前記第２サイズのシートに対して前記折り処理を実行しないよう前記折り処理手段を制御し、前記印刷ジョブが前記第１サイズのシートに対応しないが前記第２サイズのシートに対応する場合に、前記印刷処理が実行された前記第２サイズのシートに対して前記折り処理を実行するよう前記折り処理手段を制御する第２制御手段と、
を有することを特徴とする印刷装置。
【請求項２】
前記印刷手段により前記印刷処理が実行されたシートを前記折り処理手段へ搬送する搬送手段をさらに有し、
前記折り処理手段は、前記搬送手段により搬送されるシートの搬送方向と同方向にシートを折り畳むよう前記折り処理を実行することを特徴とする請求項１に記載の印刷装置。
【請求項３】
前記第１サイズのシートの前記搬送方向の長さは、前記第２サイズのシートの前記搬送方向の長さより長いことを特徴とする請求項２に記載の印刷装置。
【請求項４】
前記折り処理手段は、前記折り処理が実行された前記第１サイズのシートの前記搬送方向の長さが前記第２サイズのシートの前記搬送方向の長さと等しくなるように前記折り処理を実行することを特徴とする請求項３に記載の印刷装置。
【請求項５】
前記第１サイズのシートはＡ３サイズのシートであり、前記第２サイズのシートはＡ４サイズのシートであることを特徴とする請求項３又は４に記載の印刷装置。
【請求項６】
前記印刷手段により印刷処理されたシートに対して前記折り処理手段による前記折り処理を実行するかを設定する設定手段をさらに有し、
前記第２制御手段は、前記折り処理を実行することが前記設定手段により設定されない場合に、前記印刷手段により印刷処理された何れのサイズのシートに対しても前記折り処理を実行しないように前記折り処理手段を制御することを特徴とする請求項１乃至５のいずれか１項に記載の印刷装置。
【請求項７】
前記印刷手段により印刷処理された複数枚のシートにステイプル処理を実行するステイプル処理手段と、
前記印刷ジョブが前記第１サイズのシート及び前記第２サイズのシートの双方に対応する場合に、前記折り処理が実行された前記第１サイズのシート及び前記折り処理が実行されていない前記第２サイズのシートに対して前記ステイプル処理を実行するよう前記ステイプル処理手段を制御し、前記印刷ジョブが前記第１サイズのシートに対応しないが前記第２サイズのシートに対応する場合に、前記折り処理が実行された前記第２サイズのシートに対して前記ステイプル処理を実行するよう前記ステイプル処理手段を制御する第３制御手段と、
をさらに有することを特徴とする請求項１乃至６のいずれか１項に記載の印刷装置。
【請求項８】
第１サイズのシートが積載された第１の積載部及び前記第１サイズのシートよりサイズの小さい第２サイズのシートが積載された第２の積載部を含む複数の積載部を有するシート積載手段と、印刷ジョブに基づいて印刷処理を実行する印刷手段と、前記印刷手段により印刷処理されたシートに対して折り処理を実行可能な折り処理手段とを有する印刷装置の制御方法であって、
前記複数の積載部のうち前記印刷ジョブに対応するシートが積載された積載部からシートを給紙して、前記印刷ジョブに基づいた前記印刷処理を実行するよう前記印刷手段を制御する第１制御工程と、
前記印刷ジョブが前記第１サイズのシート及び前記第２サイズのシートの双方に対応する場合に、前記印刷処理が実行された前記第１サイズのシートに対して前記折り処理を実行する一方で前記印刷処理が実行された前記第２サイズのシートに対して前記折り処理を実行しないよう前記折り処理手段を制御する第２制御工程と、
前記印刷ジョブが前記第１サイズのシートに対応しないが前記第２サイズのシートに対応する場合に、前記印刷処理が実行された前記第２サイズのシートに対して前記折り処理を実行するよう前記折り処理手段を制御する第３制御工程と、
を有することを特徴とする印刷装置の制御方法。
【請求項９】
前記印刷装置は、前記印刷手段により前記印刷処理が実行されたシートを前記折り処理手段へ搬送する搬送手段をさらに有し、
前記折り処理手段は、前記搬送手段により搬送されるシートの搬送方向と同方向にシートを折り畳むよう前記折り処理を実行することを特徴とする請求項８に記載の印刷装置の制御方法。
【請求項１０】
前記第１サイズのシートの前記搬送方向の長さは、前記第２サイズのシートの前記搬送方向の長さより長いことを特徴とする請求項９に記載の印刷装置の制御方法。
【請求項１１】
前記折り処理手段は、前記折り処理が実行された前記第１サイズのシートの前記搬送方向の長さが前記第２サイズのシートの前記搬送方向の長さと等しくなるように前記折り処理を実行することを特徴とする請求項１０又は１１に記載の印刷装置の制御方法。
【請求項１２】
前記第１サイズのシートはＡ３サイズのシートであり、前記第２サイズのシートはＡ４サイズのシートであることを特徴とする請求項１０又は１１に記載の印刷装置の制御方法。
【請求項１３】
前記印刷手段により印刷処理されたシートに対して前記折り処理手段による前記折り処理を実行するかを設定する設定工程をさらに有し、
前記第２制御工程は、前記折り処理を実行することが前記設定工程にて設定されない場合に、前記印刷手段により印刷処理された何れのサイズのシートに対しても前記折り処理を実行しないように前記折り処理手段を制御することを特徴とする請求項８乃至１２のいずれか１項に記載の印刷装置の制御方法。
【請求項１４】
前記印刷装置は、前記印刷手段により印刷処理された複数枚のシートにステイプル処理を実行するステイプル処理手段をさらに有し、
前記印刷ジョブが前記第１サイズのシート及び前記第２サイズのシートの双方に対応する場合に、前記折り処理が実行された前記第１サイズのシート及び前記折り処理が実行されていない前記第２サイズのシートに対して前記ステイプル処理を実行するよう前記ステイプル処理手段を制御する第４制御工程と、
前記印刷ジョブが前記第１サイズのシートに対応しないが前記第２サイズのシートに対応する場合に、前記折り処理が実行された前記第２サイズのシートに対して前記ステイプル処理を実行するよう前記ステイプル処理手段を制御する第５制御工程と、
をさらに有することを特徴とする請求項８乃至１３のいずれか１項に記載の印刷装置の制御方法。
【手続補正２】
【補正対象書類名】明細書
【補正対象項目名】発明の名称
【補正方法】変更
【補正の内容】
【発明の名称】印刷装置及びその制御方法
【手続補正３】
【補正対象書類名】明細書
【補正対象項目名】００１２
【補正方法】変更
【補正の内容】
【００１２】
上記目的を達成するため、本発明に係る印刷装置は、第１サイズのシートが積載された第１の積載部及び前記第１サイズのシートよりサイズの小さい第２サイズのシートが積載された第２の積載部を含む複数の積載部を有するシート積載手段と、印刷ジョブに基づいて印刷処理を実行する印刷手段と、前記印刷手段により印刷処理されたシートに対して折り処理を実行可能な折り処理手段と、前記複数の積載部のうち前記印刷ジョブに対応するシートが積載された積載部からシートを給紙して、前記印刷ジョブに基づいた前記印刷処理を実行するよう前記印刷手段を制御する第１制御手段と、前記印刷ジョブが前記第１サイズのシート及び前記第２サイズのシートの双方に対応する場合に、前記印刷処理が実行された前記第１サイズのシートに対して前記折り処理を実行する一方で前記印刷処理が実行された前記第２サイズのシートに対して前記折り処理を実行しないよう前記折り処理手段を制御し、前記印刷ジョブが前記第１サイズのシートに対応しないが前記第２サイズのシートに対応する場合に、前記印刷処理が実行された前記第２サイズのシートに対して前記折り処理を実行するよう前記折り処理手段を制御する第２制御手段と、を有することを特徴とする。
【手続補正４】
【補正対象書類名】明細書
【補正対象項目名】００１３
【補正方法】変更
【補正の内容】
【００１３】
上記目的を達成するため、本発明に係る方法は、第１サイズのシートが積載された第１の積載部及び前記第１サイズのシートよりサイズの小さい第２サイズのシートが積載された第２の積載部を含む複数の積載部を有するシート積載手段と、印刷ジョブに基づいて印刷処理を実行する印刷手段と、前記印刷手段により印刷処理されたシートに対して折り処理を実行可能な折り処理手段とを有する印刷装置の制御方法であって、前記複数の積載部のうち前記印刷ジョブに対応するシートが積載された積載部からシートを給紙して、前記印刷ジョブに基づいた前記印刷処理を実行するよう前記印刷手段を制御する第１制御工程と、前記印刷ジョブが前記第１サイズのシート及び前記第２サイズのシートの双方に対応する場合に、前記印刷処理が実行された前記第１サイズのシートに対して前記折り処理を実行する一方で前記印刷処理が実行された前記第２サイズのシートに対して前記折り処理を実行しないよう前記折り処理手段を制御する第２制御工程と、前記印刷ジョブが前記第１サイズのシートに対応しないが前記第２サイズのシートに対応する場合に、前記印刷処理が実行された前記第２サイズのシートに対して前記折り処理を実行するよう前記折り処理手段を制御する第３制御工程と、を有することを特徴とする。
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】変更
【補正の内容】
【００２５】
本発明によれば、印刷ジョブが第１サイズのシート及び第１サイズよりサイズの小さい第２サイズのシートの双方に対応するか、印刷ジョブが第１サイズのシートに対応しないが第２サイズのシートに対応するかに応じて、第２サイズのシートに対する折り処理を実行するかどうかを適切に制御する印刷装置及びその制御方法を提供することができる。